(57)【要約】【課題】  狭い空間を用いて、使用する電線を１本ずつ容易に引き出すことができるようにする。【解決手段】  ハーネス用電線Ｗを架けるには、ロープ１１を緩めて水平部材７を手が届く程度に降下してフックを係止部に係止しておく。両端に端子Ｔを結線した同じ種類の多数本の電線Ｗを１個の水平部材７にガイド１０により左右にずり落ちないように掛けて、両端を垂れ下げる。全ての電線Ｗを架けてから、ロープ１１を引いて電線Ｗの両端を引きずらない程度に水平部材７を上昇させ、ロープ１１のフックを任意の係止部に係止し、水平部材７を所定の高さに位置させる。架台３の表側の電線Ｗを横棒２０の内側を通し、かつ棒状突起２１の間を通して、表側の電線Ｗは収納袋１８に入れ、裏側の電線Ｗの端部を複数の筒体１７中に挿入する。【選択図】図４
2008041613.tif 000002
【特許請求の範囲】
【請求項１】
架台中に、ハーネス用電線を懸架するための複数個の水平部材のそれぞれを上下動自在に支持し、前記水平部材を長手方向を揃えて直列に並べたことを特徴とする電線懸架用支持具。
【請求項２】
前記水平部材は垂直部材により支持したことを特徴とする請求項１に記載の電線懸架用支持具。
【請求項３】
前記架台に前記水平部材と平行に棒体を配置したことを特徴とする請求項１に記載の電線懸架用支持具。
【請求項４】
前記水平部材上に前記ハーネス用電線のガイドを設けたことを特徴とする請求項１に記載の電線懸架用支持具。
【請求項５】
前記水平部材は前記水平部材に取り付けた線条体により引き上げ可能にしたことを特徴とする請求項１に記載の電線懸架用支持具。
【請求項６】
前記ハーネス用電線は少なくともその一端に端子を接続したことを特徴とする請求項１に記載の電線懸架用支持具。
【発明の詳細な説明】
【技術分野】
【０００１】
本発明は、懸架したハーネス用電線を手順良く１本ずつ引き出すための電線懸架用支持具に関するものである。
【背景技術】
【０００２】
例えば、自動車のワイヤハーネスを組み立てる際には、種々の長さを有し、型式が異なる多数本の電線を使用するので、電線を延ばした状態でテーブル上などに水平に載置しておき、必要に応じて１本ずつ引き抜いている。
【０００３】
また、電線を高所に垂れ下げることも行われており、例えば特許文献１のように、ワイヤハーネス電線の種類ごとにフックに懸架して、必要に応じて引き抜いて用いることがある。
【０００４】
【特許文献１】特開平１１−３９９６７号公報
【発明の開示】
【発明が解決しようとする課題】
【０００５】
しかし、電線の少なくとも一端には端子が圧着されて接続されており、電線をテーブル上に並べた場合に、引き抜き時に他の電線と絡まり易く、またテーブルは大きな場所を占めることになる。
【０００６】
また、特許文献１の場合にも、例えば両端のコネクタ同士が絡み合ったりするので、１本ずつ引き抜く際に数本が絡まって引き抜かれることがあり、厄介であり、電線の引き抜きの際に不具合がある。
【０００７】
本発明の目的は、上述の課題を解消し、狭い空間を用いてハーネス用電線を懸架し、使用する電線を１本ずつ容易に引き出すことができる電線懸架用支持具を提供することにある。
【課題を解決するための手段】
【０００８】
上述の目的を達成するための本発明に係る電線懸架用支持具の技術的特徴は、架台中に、ハーネス用電線を懸架するための複数個の水平部材のそれぞれを上下動自在に支持し、前記水平部材を長手方向を揃えて直列に並べたことにある。
【発明の効果】
【０００９】
本発明に係る電線懸架用支持具によれば、懸架した電線が絡まることなく、１本ずつ確実に引き出すことができる。
【発明を実施するための最良の形態】
【００１０】
本発明を図示の実施例に基づいて詳細に説明する。
図１は本発明に係る電線懸架用支持具の正面図、図２は平面図、図３は側面図である。複数本の縦フレーム１、横フレーム２により、高さ約３ｍの直方体状の架台３が構設されている。また、架台３の底部には移動用のキャスタ５が設けられ、固定用ストッパ６が設けられている。
【００１１】
架台３内には、ハーネス用電線を懸架するための複数個の例えば棒状の水平部材７が、それぞれ内部管体８、外部管体９による垂直方向に二重管により上下動自在に支持されている。各水平部材７はその長手方向を直列にして線上に並ぶように配置されている。
【００１２】
水平部材７は内部管体８の上部に固定され、内部管体８は外部管体９に対し回転不能とされている。また、水平部材７の上の両端には懸架した電線がずれ落ちないようにするガイド１０が水平部材７の中央及び両側に設けられている。各水平部材７の中央のガイド１０にはそれぞれ合成樹脂や植物繊維から成るロープ１１の一端が取り付けられている。架台３上には各水平部材７用の複数の滑車１２及び共通の滑車１３が設けられ、ロープ１１は滑車１２、１３を経て架台３の側部に係止されている。
【００１３】
架台３の側部の縦フレーム１には、高さが異なる幾つかの位置に係止部１４が設けられており、ロープ１１の他端に取り付けた把持部１５の先端のフック１６が、これらの係止部１４の何れかに係止できるようにされている。
【００１４】
架台３の裏側、つまり作業者の反対側には、電線の一端を収容するための複数本の筒体１７が、開口端を上方に向けて懸架された電線の種類、長さに合わせて適宜に配列されている。更に好ましい態様として、筒体１７の数は電線種の数よりも多く設ける方が良く、実施例においては１種類の電線の束に対して、４個の筒体１７を設けている。
【００１５】
架台３の表側の作業者側の下部には、選択した電線を収納する布製の収納袋１８を取り付けるための袋取付部１９が設けられており、必要に応じてこの収納袋１８は電線の種類ごとに設けている。収納袋１８は電線を入れて運搬するためのものであるが、電線に圧着された端子が床等に落下して変形することをも防止している。更に、架台３の表側の架台３の高さの半分よりも上方側に横棒２０が固定され、架台３の高さの半分よりも下方には電線を分離するための複数の棒状突起２１が表側に向けて突出されている。
【００１６】
なお、水平部材７、ガイド１０、横棒２０、棒状突起２１は、懸架する電線及び又はその電線の端部に圧着されている端子を傷付けないために、合成樹脂やゴム材料で成形したり、或いは合成樹脂やゴム材料で被覆されたものが適用することが好適である。
【００１７】
この電線懸架用支持具にハーネス用電線Ｗを架けるには、図４に示すように、ロープ１１を緩めて水平部材７に手が届く程度に降下して、フック１６を係止部１４に係止しておく。両端に端子Ｔを圧着した同じ種類、長さの多数本の電線Ｗを、１個の水平部材７にガイド１０により左右にずり落ちないように掛けて、両端を垂れ下げる。
【００１８】
この場合に、電線Ｗを表側と裏側に二分して水平部材７に架けると共に、架台３の表側の電線Ｗを横棒２０の内側を通し、かつ棒状突起２１の間を通して、全ての電線Ｗを架けてから、ロープ１１を引いて電線Ｗの両端を引きずらない程度に水平部材７を上昇させ、ロープ１１のフック１６を任意の係止部１４に係止し、水平部材７を所定の高さに位置させる。
【００１９】
そして、表側の電線Ｗは収納袋１８に入れ、裏側の電線Ｗの端部を複数の筒体１７中に挿入しておく。電線Ｗの端部を複数個の筒体１７に分けて挿入することで、１つの筒体１７に挿入した場合に比べて、電線Ｗを引き出す際の電線Ｗ同士の絡み、端子Ｔの変形が格段に抑制される。
【００２０】
このようにして、電線Ｗの種類ごとに水平部材７を使い分けて、必要な全ての電線Ｗをそれぞれの水平部材７に架け渡す。
【００２１】
このような状態において、１本の電線Ｗを把んで作業台側に引き出すと、裏側の電線Ｗの端部には端子Ｔが接続されているので、裏側の電線Ｗの端部は引き出された反動で跳ね上り、水平部材７を飛び越えて表側にそのまま落下して始末に困る場合がある。本実施例においては、この場合に電線Ｗの端部は架台３に取り付けた横棒２０に引っ掛かって、その勢いが弱まり、端子Ｔが表側に落下して変形することが防止され、電線Ｗは収納袋１８内に自然に落下することになる。
【００２２】
なお実施例においては、水平部材７を昇降するために合成樹脂、植物繊維製ロープ１１を使用したが、これらのロープ１１以外にも、金属製ワイヤや、この金属製ワイヤに合成樹脂やゴムを被覆した線条体を用いることができる。
【図面の簡単な説明】
【００２３】
【図１】電線懸架用支持具の正面図である。
【図２】平面図である。
【図３】側面図である。
【図４】ハーネス用電線を懸架した状態の側面図である。
【符号の説明】
【００２４】
３  架台
７  水平部材
８  内部管体
９  外部管体
１０  ガイド
１１  ロープ
１２、１３  滑車
Ｔ  端子
Ｗ  ハーネス用電線
【図１】
2008041613.tif 000003
【図２】
2008041613.tif 000004
【図３】
2008041613.tif 000005
【図４】
2008041613.tif 000006